(57)【要約】【課題】釣り糸の撚りを解消でき、根掛かりが生じにくい錘を提供する。【解決手段】錘１の中心軸に釣り糸が挿通できる中通し孔１ａが形成されている。底部１ｃには、金属線を曲げた取付部材２が鋳込まれている。取付部材２の中央部に取付孔２ａが設けられ、撚り戻し部材３が取り付けられている。撚り戻し部材３のラインアイ３ｂは中通し孔１ａの下端に接触しない位置となっている。道糸を中通し孔１ａを通して、ラインアイ３ｂに繋ぐ。錘１の上部に撚り戻し部材を取り付ける必要がないので、錘に繋ぐ撚り戻し部材による根掛かりが生じない。【選択図】図１
2012170382.tif 000002
【特許請求の範囲】
【請求項１】
錘の中心軸に釣り糸が挿通できる中通し孔を有し、前記錘の底部に前記中通し孔の下端から離隔させて撚り戻し部材を取り付ける取付部材が設けられ、撚り戻し部材が該撚り戻し部材の釣り糸接続側を前記中通し孔の下端に向くように前記取付部材に取り付けられており、前記撚り戻し部材の取付位置と前記中通し孔の下端との間隔は前記撚り戻し部材の取付長さより大きいことを特徴とする釣り用錘。
【請求項２】
前記取付部材が金属線で形成され、前記金属線をターンさせて環状部が形成され、該環状部に前記撚り戻し部材が取り付けられていることを特徴とする請求項１に記載の釣り用錘。
【請求項３】
前記取付部材が金属板で形成され、前記撚り戻し部材取付部が前記金属板にレーザカットで取付孔が形成され、該取付孔に前記撚り戻し部材が取り付けられていることを特徴とする請求項１に記載の釣り用錘。
【請求項４】
前記取付部材がカップ状に形成され、その内側の底部に前記撚り戻し部材が取り付けられていることを特徴とする請求項１に記載の釣り用錘。
【請求項５】
前記取付部材が、前記錘に一体的に設けられていることを特徴とする請求項１ないし３のいずれか１項に記載の釣り用錘。
【請求項６】
前記取付部材が、前記錘に着脱可能に取り付けられていることを特徴とする請求項１ないし３のいずれか１項に記載の釣り用錘。
【請求項７】
前記錘の底部に嵌合穴が設けられ、前記取付部材が樹脂製の基台に取り付けられ、前記基台が前記嵌合穴に嵌合して、前記取付部材が、前記錘に取り付けられていることを特徴とする請求項１ないし６のいずれか１項に記載の釣り用錘。
【請求項８】
前記錘の底部に係合溝または係合孔が設けられ、前記取付部材が弾性を有する金属線で前記底部を跨ぐようにに形成され、前記撚り戻し部材取付部が前記金属線を環状にターンさせて形成されて形成されており、端部は外方に向くように曲げられており、前記端部が前記金属線の弾性によって、前記係合溝または前記係合孔に係合されていることを特徴とする請求項１に記載の釣り用錘。
【請求項９】
錘の頭部に上方に向けて外径が減少する形状で、中心軸に釣り糸が挿通できる中通し孔を有する樹脂製のキャップ部材を取り付けたことを特徴とする請求項１ないし８のいずれか１項に記載の釣り用錘。
【請求項１０】
一端に環が設けられた金属線の他端が回動可能に前記取付部材に取り付けられていることを特徴とする請求項１ないし９のいずれか１項に記載の釣り用錘。
【発明の詳細な説明】
【技術分野】
【０００１】
本発明は、釣り用の錘、特に、根掛かりが生じにくい釣り用錘に関するものである。
【背景技術】
【０００２】
従来、魚釣りに用いられる錘としては、紡錘形状，円錐形状，球形状等に鉛で鋳造され、頂部に、釣り糸に繋ぐための冠が設けられたものが用いられている。図１８は、その一例で、ナス型と呼ばれるものである。錘１１の頭部にワイヤが曲げられた冠１２が鋳込まれて、取り付けられている。
【０００３】
この錘には、道糸や幹糸と呼ばれる釣り糸が繋がれる。例えば、船釣りや磯釣りの典型的な仕掛けである胴つき仕掛けは、幹糸の一番下に仕掛けを安定させるための錘が取り付けられる。釣り糸と錘との接続には、釣り糸に生じる撚りを解消させるため、ヨリモドシ，サルカン，スイベルなどと呼ばれる撚り戻し部材が介在されるのが普通である。釣りに際しては、錘は海底，川底，湖底等、仕掛けが降ろされる水底に位置する。水底には、石や岩が存在するから、仕掛けが動かされると、錘が石や岩に絡んで、いわゆる根掛かりを生じることがある。錘の形状を根掛かりし難い形状に形成しても、上述したように、撚り戻し部材を用いている仕掛けでは、撚り戻し部材が石や岩の隙間に挟まってしまうという問題がある。
【０００４】
特許文献１に記載されたワンタッチパイプ式胴付き棒錘は、錘が根掛かりして抜けないときは、仕掛けの先端が通されたパイプから抜けるようにして、仕掛け確実に回収できるものであるが、錘の損失は避けられず、撚り戻し部材を用いた場合には、撚り戻し部材の部分で根掛かりした場合には、仕掛けを失うことは避けられない。
【先行技術文献】
【特許文献】
【０００５】
【特許文献１】特開平１１−３２６３９
【発明の概要】
【発明が解決しようとする課題】
【０００６】
本発明は、釣り糸の撚りを解消でき、根掛かりが生じにくい錘を提供するものである。
【課題を解決するための手段】
【０００７】
本発明は、錘の中心軸に釣り糸が挿通できる中通し孔を有し、前記錘の底部に前記中通し孔の下端から離隔させて撚り戻し部材を取り付ける取付部材が設けられ、撚り戻し部材が該撚り戻し部材の釣り糸接続側を前記中通し孔の下端に向くように前記取付部材に取り付けられており、前記撚り戻し部材の取付位置と前記中通し孔の下端との間隔は前記撚り戻し部材の取付長さより大きいことを特徴とするものである。
【発明の効果】
【０００８】
本発明は、撚り戻し部材が錘の後部に設けられているので、撚り戻し部材による仕掛けの根掛かりをし難い錘を提供できるという効果がある。
【図面の簡単な説明】
【０００９】
【図１】本発明の釣り用錘の第１の実施例を説明するための断面図である。
【図２】図１の釣り用錘の使用の一例を示すものである。
【図３】本発明の釣り用錘の第１の実施例の第１の変形例を説明するための断面図である。
【図４】本発明の釣り用錘の第１の実施例の第２の変形例の説明図である。
【図５】本発明の釣り用錘の第２の実施例を説明するための断面図である。
【図６】本発明の釣り用錘の第２の実施例の変形例を説明するための断面図である。
【図７】本発明の釣り用錘の第３の実施例の説明図である。
【図８】本発明に用いられる取付部材の実施例の斜視図である。
【図９】本発明に用いられる取付部材の他の実施例の斜視図である。
【図１０】本発明に用いられる取付部材の他の実施例の斜視図である。
【図１１】本発明に用いられる取付部材の他の実施例の斜視図である。
【図１２】撚り戻し部材の取付方法の具体例の説明図である。
【図１３】本発明の釣り用錘の第４の実施例の説明図である。
【図１４】本発明の釣り用錘の第５の実施例の説明図である。
【図１５】図１４で説明した第５の実施例の釣り用錘の使用方法の一例の説明図である。
【図１６】図１４で説明した第５の実施例の釣り用錘の使用方法の他の一例の説明図である。
【図１７】本発明に適用できる錘の種々の形状を説明するための側面図である。
【図１８】従来から用いられている錘の一例の側面図である。
【発明を実施するための形態】
【００１０】
本発明は、錘の後部に撚り戻し部材が設けられているので、根掛かりの可能性を低くして、かつ、錘に繋がれる釣り糸の撚りを解消できる錘を簡単な構造で実現した。
【００１１】
図１は、本発明の釣り用錘の第１の実施例を説明するための断面図であるが、取付部材と撚り戻し部材は側面図を図示した。図中、１は錘、１ａは中通し孔、１ｂは頭部、１ｃは底部、２は取付部材、２ａは取付孔、２ｂは脚部、２ｃは端部、３は撚り戻し部材、３ａは取付環、３ｂはラインアイである。この釣り用錘は、図では、横に向けて図示しており、使用状態においては、図２で説明するように、図の左側が上に向けられるから、１ｂが頭部であり、１ｃが底部である。
【００１２】
錘１の形状は、適宜の形状でよいが、根掛かりがし難いように、頭部１ｂから下方に向けて徐々に外形が大きくなるようにするのがよい。中心軸には中通し孔１ａが設けられている。中通し孔１ａは、鉛等で作られた錘１に開けられたままでよいが、内面に通される釣り糸に対しては、平滑面がよく、樹脂製のチューブが内装されてもよく、塗膜が施されるなど、内面処理が行われたものでもよい。中通し孔１ａの径は、挿通される釣り糸の太さよりも大きくして、釣り糸の移動や回動が容易にできるようにする。中心軸に直交する断面形状は、円形や楕円形がよく、六角形状のいわゆる六角錘（小田原オモリとも呼ばれている。）であってもよい。
【００１３】
錘１の底部１ｃに取付部材２が設けられている。この実施例では、取付部材２はステンレス等の金属線を、中央部を環状にターンさせて取付孔２ａを形成し、脚部２ｂが鋭角を持つように略Ｖ字形状に折り曲げられ、脚部２ｂの端部２ｃを外方に折り曲げるようにして形成されたものである。
【００１４】
撚り戻し部材３は、ヨリモドシ，サルカン，スイーベルなどと呼ばれているものを用いることができる。ラインアイ３ｂに繋がれた釣り糸の部分が回動可能であり、その回動によって繋がれた釣り糸の撚りを戻すことができる。もちろんスナップ付きのものでもよい。取付環３ａが取付部材２の取付孔２ａに挿通されて、撚り戻し部材３が取付部材２に取り付けられている。
【００１５】
撚り戻し部材３が取り付けられた取付部材２が錘の底部１ｃに埋め込まれるようにして固定されている。錘１を鋳造する際に鋳込むようにして固定したものである。端部２ｃは鋳込んだ場合に抜け難くするために設けられたものであり、必ずしも必要とするものではない。図示のように、端部２ｃを設ける場合には、この例では、端部２ｃは底部１ｃに平行となるように曲げられた形状であるが、抜け難ければ足りるものであり、適宜の形状でもよい。
【００１６】
撚り戻し部材３は、取付環３ａが取付部材２の環状の取付孔２ａに挿通されているから、自由な向きを取ることができるが、本発明では、撚り戻し部材３は、釣り糸接続側であるラインアイ３ｂが中通し孔１ａの下端に向けることが可能であることが必要である。釣り糸との接続のときには、撚り戻し部材３を外側に向けることができるので、接続作業がし易い。
【００１７】
図２は、図１の釣り用錘の使用の一例を示すものである。図中、図１と同様の部分には同じ符号を付して説明を省略する。４は幹糸、５はハリスである。この図は、胴つき仕掛けに図１の釣り用錘を用いた場合の錘の近傍部分を図示したものである。幹糸の下端が撚り戻し部材３のラインアイに接続されている。錘１の頭部近傍の幹糸部分には、撚り戻し部材は繋がれていない。したがって、撚り戻し部材による根掛かりは生じるべくもない。また、図１に示すように、撚り戻し部材３の取付位置である取付孔２ａと中通し孔１ａの下端との間隔は、撚り戻し部材３の取付長さより大きい。この条件によって、釣り糸に張力が加えられ場合に、撚り戻し部材３のラインアイ３ｂが中通し孔１ａの下端に接触することはなく、釣り糸の張力を少し緩めることによって、撚り戻し部材３によって撚りを戻すことができる。
【００１８】
図３は、本発明の釣り用錘の第１の実施例の第１の変形例を説明するための断面図であるが、取付部材と撚り戻し部材は側面図を図示した。図中、図１と同等の部分には同じ符号を付して説明を省略する。１ｄは拡張孔である。中通し孔１ａの下端に続けて拡張孔１ｄが形成されていることにより、図１の実施例よりも取付部材２の高さを低くできるので、強度の面から有利である。しかし、拡張孔１ｄを深くするほど、ラインアイ３ｂに釣り糸を結び難くなるので、適度の深さとするのがよい。この変形例では、拡張孔１ｄの形状を円錐台形状としたが、円柱形状など、適宜の形状を採用できる。
【００１９】
図４は、本発明の釣り用錘の第１の実施例の第２の変形例を説明するためのもので、図４（Ａ）は、錘を断面図で図示し、取付部材と撚り戻し部材は側面図を図示したものである。図４（Ｂ）は、図４（Ａ）の錘１の底部近傍を斜め下方から見た斜視図である。図中、図１〜図３と同様の部分には同じ符号を付して説明を省略する。１ｅは切り通し部である。
【００２０】
この変形例では、錘１の底部に切り通し部１ｅが形成されている。中通し孔１ａの下端は、切り通し部１ｅの底部に開孔している。取付部材２は、直線状に形成され、その両端が錘１の底部に一体的、例えば、鋳込まれるようにして切り通し部１ｅを跨ぐように取り付けられている。この変形例では、取付部材２は、金属線で形成され、その中央部を環状にターンさせて環状の取付孔２ａが形成されている。切り通し部１ｅを設けたことにより、撚り戻し部材３を錘の外部に出しやすくでき、釣り糸を繋ぐ作業が容易である。また、脚部２ｂの形状は、直線形状としたが、図１，図４で説明した取付部材と同様にＶ字形状としてもよい。脚部２ｂを直線形状とした場合、あるいは、上方に凸となる形状とした場合には、環状の取付孔２ａは、必ずしも必要でなく、撚り戻し部材の取付環を脚部２ｂに挿通するだけでもよい。
【００２１】
図５は、本発明の釣り用錘の第２の実施例を説明するための断面図であるが、取付部材と撚り戻し部材は側面図を図示した。図中、図１〜図４と同様の部分には同じ符号を付して説明を省略する。６は基台である。
【００２２】
この実施例では、撚り戻し部材３が取り付けられた取付部材２を硬質樹脂などの樹脂製の基台６に固定し、基台６を錘１の底部に形成された嵌合穴に嵌合させたものである。中通し孔１ａは、基台６まで通して開けられており、中通し孔１ａの下端に続いて、図３で説明したような拡張孔が形成されているが、拡張孔は必ずしも必要とするものではない。
【００２３】
図６は、本発明の釣り用錘の第２の実施例の変形例を説明するための断面図であるが、取付部材と撚り戻し部材は側面図を図示した。図中、図１〜図５と同様の部分には同じ符号を付して説明を省略する。６ａは切り通し部、２ｄは環である。
【００２４】
この変形例においては、錘１の底部に切り通し部１ｅが形成され、基台６の上部にも切り通し部６ａが形成され、２つの切り通し部が連結されて、くり抜き孔が形成される。取付部材２は、基台６の底部から切り通し部６ａの底部を貫通するように金属線、たとえはステンレス線をもって直線形状に取り付けられ、上端に取付孔２ａが形成されて撚り戻し部材３が取り付けられ、下端に環２ｄが形成されている。撚り戻し部材３を取り付けた取付部材２は、基台６の成形の際に埋め込まれるのがよい。取付部材２の下端に形成された環２ｄは、抜け止めの役割を果たすとともに、仕掛け等を取り付けることが可能であるが、仕掛け等を取り付ける要求がない場合は、環とする必要はなく、端部を曲げるなどしてもよく、端部が基台内に埋め込まれてもよい。この変形例においても、基台６は錘１の底部に形成された嵌合穴に嵌合されるようにして取り付けられる。２つの切り透視部が連結されるので、撚り戻し部材３は、くり抜き孔内に納められることとなり、釣り糸を撚り戻し部材３のラインアイ３ｂに繋ぐときは、ラインアイ３ｂが切り抜き孔の外部に出るように撚り戻し部材を取付環３ａを支点として回動させればよい。
【００２５】
図７は、本発明の釣り用錘の第３の実施例を説明するためのもので、図７（Ａ）は、錘を断面図で図示し、取付部材と撚り戻し部材を側面図を図示したものである。図７（Ｂ）は、図７（Ａ）の錘１のＡ−Ａ線断面図である。図中、図１〜図３と同様の部分には同じ符号を付して説明を省略する。１ｆは挿入孔、１ｇは縦溝、１ｈは係止孔である。
【００２６】
この実施例は、取付部材を錘に対して着脱可能に構成したものであり、組立が容易である。取付部材２は、弾性を有する金属線で形成され、図１で説明した第１の実施例と同様に、中央部を環状にターンさせて取付孔２ａを形成し、脚部２ｂが鋭角を持つように略Ｖ字形状に折り曲げられ、さらに、平行部分を有している。脚部２ｂの端部２ｃはほぼ直角に外方に向けて折り曲げられている。
【００２７】
取付部材２に対して、錘１は、底部に円筒形状の挿入孔１ｆが形成され、内面の両側に母線方向に縦溝１ｇが形成されている。縦溝１ｇの最上部に係止孔１ｈが開けられているが、係止孔１ｈは錘１の外表面まで貫通する貫通孔として開けられていてもよい。撚り戻し部材３を取り付けた取付部材２の脚部２ｂを両側から指で挟んで両脚部２ｂの間隔を縮めて、脚部２ｂが縦溝１ｇに合うように挿入孔１ｆに挿入し、端部２ｃが係止孔１ｈに係止できる位置で指を離せば、脚部２ｂの弾性によって脚部２ｂが広がって縦溝１ｇに納まって、撚り戻し部材３が取り付けられた取付部材２が錘１に合体される。縦溝１ｇは、取付部材２を倒れ難くするために設けたものであり、必ずしも、縦溝１ｇを設けなくてもよい。その場合、挿入孔の形状は、円筒形状でなくてもよく、擂り鉢の内面の形状や、半球状，半楕円形状の穴など、適宜の形状を採用できる。また、端部２ｃとの係合は、挿入穴の内面に形成した周溝でもよい。
【００２８】
図８〜図１２は、本発明に用いられる取付部材の種々の実施例を説明するためのものである。金属線で形成される取付部材については図１〜図７で説明したが、図１〜図７では、Ｖ字形状，直線形状、上方に凸となる形状など、１本の金属線を用いて脚部が２つとなる形状である。本発明において、金属線を用いた取付部材を用いる場合は、１本の金属線を用いたものに限られるものではなく、図８に示すように、２本の金属線を用いて、脚部が４本となるような形状でもよい。２本の金属線の交差部は溶着や接着等によって固定するのがよい。撚り戻し部材の取付環が、交差点の対角を跨いで挿入されるようにして、撚り戻し部材を取付部材に取り付けることができる。この例では、それぞれの金属線は略Ｕ字形状としたが、図１に示したように略Ｖ字形状でもよい。また、一方の金属線に図１で説明したような環２ａを形成し他方の金属線には環を形成せずに、交差点部分で溶着するようにしてもよい。脚部の本数は、２本または４本に限られるものではなく、３本または５本以上でもよい。脚部の本数が多いほど、脚部の強度が向上できる。
【００２９】
金属線を用いる代わりに、図９に示すように幅の狭い金属板を用いてもよい。中央部は、幅広にして、レーザカットで孔を開けて、撚り戻し部材の取付用の環としてもよい。この場合、撚り戻し部材の取付環は一部に切れ目を入れて、取付用の環に挿入した後に、切れ目を塞ぐようにして、撚り戻し部材を金属板の取付部材に取り付けることができる。
【００３０】
図１０は、金属板や樹脂でコーン形状に形成した取付部材を説明するためのもので、図１０（Ａ）は取付部材の斜視図である。コーンの頂点部の内側に撚り戻し部材３が取り付けられている状態を示すが、撚り戻し部材３において、コーンの内部にある部分は、コーンが透明材料である場合でなければ見えないが、透視的に見えるものと想定して細線で図示した。撚り戻し部材３の取付長さとコーン形状の取付部材２の高さとの関係は、取付状態において多少でも、ラインアイがコーンの開口よりも外に出るようにするのがよい。釣り糸との接続作業が容易となる。
【００３１】
図１０（Ｂ）に錘１の底部近傍の断面図とコーン形状の取付部材の断面を図示した。コーン形状の取付部材２は、錘１の底部に設けられた開口の段部に嵌合させるようにする。釣り糸を撚り戻し部材３に繋ぐ場合は、取付部材２を外した状態で撚り戻し部材２のラインアイに繋ぎ、ついで、取付部材２を錘１の底部に取り付ける。
【００３２】
取付部材２の形状は、コーン形状に限られるものではない。図１１（Ａ）に示すように、底のある円筒形状としてもよい。図１１（Ａ）では、撚り戻し部材３は、両側に環が設けられたヨリモドシを用いて、一方の環が内面の底部の中央に取り付けられている。図１１（Ｂ）に示すように円盤形状でもよい。図１１（Ｂ）では、撚り戻し部材３は、一方に環が設けられ、他方は取付用の金属線が設けられたものである。取付用の金属線を円盤の中央に開けた孔に差し込み、端部を抜けないように曲げて取り付けた。このように、本発明の取付部材は、面状体を用いた形状でもよい。面状体を用いて形成した取付部材は、外側に環など、指で摘めるような摘みを設けて、着脱の際に持ちやすくするのがよい。また、錘１の底部に設けられた開口に取付部材が蓋をするようになるので、開口に閉じこめられる空気の排除を容易にするために、面状体の一部に小孔を開けておくのがよい。
【００３３】
上述したように、本発明における取付部材は、錘の底部側において、錘の中通し孔の下端から離隔した位置に撚り戻し部材を取り付けることができる取付部を有する部材であって、撚り戻し部材の取付位置と前記中通し孔の下端との間隔が撚り戻し部材の取付長さより大きくして、釣り糸に接続した場合に、撚り戻し部材の釣り糸接続側が中通し孔の下端に接触しないような取付部が設けられていれは足りるものであり、線状体、板状体、面状体など、適宜の材料で構成することができるものである。
【００３４】
撚り戻し部材３としては、市販のヨリモドシに見られるような、両側に環を有するものを用いて、一方の環を取付孔とし、他方の環をラインアイとして説明したが、本発明の撚り戻し部材は、取付環３ａ（図１など）の部分は環としなくともよく、金属線を伸ばしたものとし、これを取付部材の取付箇所に巻き付けるなどして取り付けるようにしてもよい。また、取付環３ａ（図１など）の部分を設けることなく、図１２（Ａ）に示すように、金属線を用いた取付部材２の中央部に直線部２ｅを設け、撚り戻し部材３の胴部３ｃに設けた貫通孔に直線部を緩く挿入できるようにして、撚り戻し部材３を取付部材２に取り付けるようにしてもよい。図１２（Ｂ）に示すように、両側に環が設けられていてもよく、その場合、下方の環は仕掛けを結ぶことなどに利用できる。図１２（Ａ），（Ｂ）のいずれにおいても、撚り戻し部材３は、直線部２ｅを回動軸として、回動可能としてもよい。
【００３５】
図１３は、本発明の釣り用錘の第４の実施例を説明するための断面図であるが、取付部材と撚り戻し部材は側面図を図示した。図中、図１と同様の部分には同じ符号を付して説明を省略する。７はキャップ部材である。この実施例のキャップ部材は、上述した各実施例に適用できるものであり、錘１の頭部に取り付けられるものでる。キャップ部材７は、ポリエチレン，ＡＢＳ樹脂，ナイロンなどの合成樹脂等で形成されたものであり、上方に向けて外径が減少する形状で、中心軸に釣り糸が挿通できる中通し孔が設けらている。基部が錘の頭部１ｂに設けられた嵌合孔に嵌合して錘１に取り付けられている。キャップ部材７を取り付けることにより、釣り用錘を水底で移動させる場合に、障害物に引っかかる確率を小さくでき、根掛かりをより生じ難くできる。なお、このキャップ部材７は、上述したように、本発明の釣り用錘に適用されるものであるが、本発明以外の釣り用錘、や一般に市販されている釣り用錘などの頭部に取り付けることにより、錘による根掛かりを減少させることができる。
【００３６】
図１４〜図１６は、本発明の釣り用錘の第５の実施例を説明するためのもので、投げ釣りに用いられる天秤を付属させた実施例である。図１４は、錘を断面図で図示し、他は側面図で図示した説明図である。図１，図３と同様の部分には同じ符号を付して説明を省略する。８は天秤部材、８ａは取付環、８ｂは環である。
【００３７】
ステンレスやタングステン合金などの曲がりにくい金属線で一方端に取付環８ａ、他方端に環８ｂが設けられている。長さは、長ければ長いほど絡む可能性が減少するが、長くなると、空気は水に対する抵抗力が大きくなる。例えば、１０〜２０ｃｍ程度の長さが適当である。天秤部材８の取付環８ａを取付部材２の取付孔２ａに取り付ける。この実施例では、取付部材２の取付孔２ａは、撚り戻し部材３を取り付ける取付孔と兼用しているが、取付部材２に天秤部材８を取り付けるための取付部を別に設けてもよい。天秤部材８は、取付部材２に回動可能に取り付けられる。環８ｂは、仕掛けを取り付けることができ、また、半誘導式の結び方にも利用できる。
【００３８】
図１５は、図１４で説明した第５の実施例の釣り用錘の使用方法の一例を説明するためのもので、固定式の結び方であり、飛行中の状態を示す。９ａは道糸、９ｂは仕掛けのモトスである。この例では、道糸９ａを撚り戻し部材３のラインアイ３ｂに結び、環８に仕掛けのモトス９ｂを結んだものである。結び方が簡単であるが、アタリが取りにくい結び方である。
【００３９】
図１６は、図１４で説明した第５の実施例の釣り用錘の使用方法の他の一例を説明するためのもので、半誘導式の結び方であり、飛行中の状態を示す。１０はヨリモドシである。この例では、道糸９を撚り戻し部材３のラインアイ３ｂを通し、その先端にヨリモドシ１０を接続し、仕掛けのモトス９ｂを天秤部材８の環８ｂと通してヨリモドシ１０に結んだものである。半誘導式であるから、アタリが取りやすく、道糸９ａに生じる撚りは、ヨリモドシ１０で解消できる。
【００４０】
図１７は、本発明に適用できる錘の種々の形状を説明するための側面図である。図の左側が頭部であり、中心軸に直交する断面形状は、円形，楕円形等、多角形等、適宜の形状でよい。前記図１７（Ａ）は、比較的軽量の錘に適する形状である。図１７（Ｂ）では、後部がより大きくなっている。重心を後部に移動させることにより、投げ釣り用に適している。図１７（Ｃ）は、長さを長くしたものであり、窪み等に落ち込み難くなり根掛かりが生じにくい。いずれにしても、頭部から徐々に大きくなっていることにより、根掛かりが生じにくい形状である。本発明に用いられる錘は、これらの形状に限られるものではなく、底部に、撚り戻し部材を取り付けた取付部材が、実施例で説明したようにして取り付けられるものである。
【符号の説明】
【００４１】
１…錘、１ａ…中通し孔、１ｂ…頭部、１ｃ…底部、１ｄ…拡張孔、１ｅ…切り通し部、１ｆ…挿入孔、１ｇ…縦溝、１ｈ…係止孔、２…取付部材、２ａ…取付孔、２ｂ…脚部、２ｃ…端部、２ｄ…環、２ｅ…直線部、３…撚り戻し部材、３ａ…取付環、３ｂ…ラインアイ、３ｃ…胴部、４…幹糸、５…枝針、６…基台、６ａ…切り通し部、７…キャップ部材、８…天秤部材、８ａ…取付環、８ｂ…環、９ａ…道糸、９ｂ…モトス、１０…ヨリモドシ。
【図１】
2012170382.tif 000003
【図２】
2012170382.tif 000004
【図３】
2012170382.tif 000005
【図４】
2012170382.tif 000006
【図５】
2012170382.tif 000007
【図６】
2012170382.tif 000008
【図７】
2012170382.tif 000009
【図８】
2012170382.tif 000010
【図９】
2012170382.tif 000011
【図１０】
2012170382.tif 000012
【図１１】
2012170382.tif 000013
【図１２】
2012170382.tif 000014
【図１３】
2012170382.tif 000015
【図１４】
2012170382.tif 000016
【図１５】
2012170382.tif 000017
【図１６】
2012170382.tif 000018
【図１７】
2012170382.tif 000019
【図１８】
2012170382.tif 000020